【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
電話機が電子メッセージの送受信を行うことができるようにする方法であって、
（ａ）少なくとも１つの構内電話機および少なくとも１つの外部エンドポイントと通信する、交換機およびサーバのうちの少なくとも一方を設けるステップと、
（ｂ）交換機およびサーバのうちの前記少なくとも一方において、第１、第２、第３、および第４の動作群のうちの少なくとも１つの動作群を実行するステップとを含み、
前記第１の動作群は、
（ｉ）前記少なくとも１つの構内電話機に関連づけられたユーザに宛てられた電子テキスト・メッセージを受け取るステップと、
（ｉｉ）前記電子メッセージが前記少なくとも１つの構内電話機に宛てて送られるべきであることを判断するステップと、
（ｉｉｉ）前記電子メッセージのテキストを前記少なくとも１つの構内電話機の表示部に表示させるステップとを含み、
前記第２の動作群は、
（ｉ）少なくとも１つの構内電話機から、１つまたは複数のアクティベータの作動に関連づけられた複数の信号を受け取るステップと、
（ｉｉ）前記複数の信号を１つまたは複数の対応する文字および／または数字に関連づけてメッセージのテキストを実現するステップと、
（ｉｉｉ）前記テキストを送信元アドレスと、宛先アドレスと、前記テキストとを含む電子メッセージとして形成するステップと、
（ｉｖ）前記電子メッセージを前記宛先アドレスに転送するステップとを含み、
前記第３の動作群は、
（ｉ）前記少なくとも１つの構内電話機から、選択された電子メッセージのテキストの閲覧要求を受け取るステップと、
（ｉｉ）前記電子メッセージのテキストを前記少なくとも１つの構内電話機の表示部に表示させるステップとを含み、
前記第４の動作群は、
（ｉ）前記少なくとも１つの外部エンドポイントから、機能アクティベータと機能とのうちの少なくとも一方の識別情報を含むパケット交換通信を含む着信コンタクトを受け取るステップと、
（ｉｉ）機能アクティベータと機能とのうちの識別された少なくとも一方が、（ｉ）前記複数の機能アクティベータに関連づけられた複数の機能アクティベータ識別子と、（ｉｉ）前記複数の機能に関連づけられた複数の機能識別子とのうちの少なくとも一方に関連づけられた識別子の記憶リスト内に対応する項目を有する場合を判断するステップと、
（ｉｉｉ）機能アクティベータと機能とのうちの識別された前記少なくとも１つが前記記憶リスト内に対応する項目を有する場合、関連づけられた前記機能アクティベータと前記機能のうちの少なくとも１つを作動させるステップとを含む方法。
【請求項２】
前記第１の動作群を実行する請求項１に記載の方法。
【請求項３】
前記電子テキスト・メッセージの着信を前記ユーザに通知する鳴音を鳴らすステップをさらに含む請求項２に記載の方法。
【請求項４】
前記少なくとも１つの構内電話機上で前記機能アクティベータのうちの複数のアクティベータに関連づけられた記号および機能のうちの少なくとも１つを、前記電子テキスト・メッセージに記載されている方式で再定義するステップをさらに含み、
再定義された機能アクティベータを作動させることによって、交換機とサーバとのうちの前記少なくとも一方が、前記記号と機能のうちの再定義された対応する少なくとも１つを、作動させた前記機能アクティベータに関連づけるようにし、
前記記号と機能のうちの再定義された対応する前記少なくとも１つは、前記記号と関数のうちのデフォルトの対応する少なくとも１つとは異なる、請求項２に記載の方法。
【請求項５】
前記表示させるステップにおいて、前記電子メッセージのテキストが、複数の構内電話機の表示部に少なくともほぼ同時に表示される、請求項２に記載の方法。
【請求項６】
前記第２の動作群を実行する請求項１に記載の方法。
【請求項７】
（ａ）前記関連づけるステップが、受信した前記複数の信号をマッピング・テーブルとマッピングして、前記１つまたは複数の対応する文字および／または数字を識別するステップを含み、
（ｂ）関連づけるステップにおいて、所定のテキスト・メッセージを前記複数の信号のうちの少なくとも１つの信号に関連づける
ことの少なくとも１つが真である、請求項６に記載の方法。
【請求項８】
（ａ）前記電子メッセージを形成するステップにおいて、前記宛先アドレスは、形成された前記電子メッセージの応答対象の受信電子テキスト・メッセージの送信元アドレスであり、
（ｂ）前記電子メッセージを形成するステップにおいて、前記宛先アドレスは、宛先アドレスの所定の集合のうちから前記ユーザによって選択される
ことの少なくとも１つが真である、請求項６に記載の方法。
【請求項９】
前記第１および第２の動作群が実行され、前記関連づけるステップの前に前記少なくとも１つの構内電話機の動作モードを通話モードからメッセージ・モードに切り替えるステップをさらに含む、請求項１に記載の方法。
【請求項１０】
前記第３の動作群を実行する請求項１に記載の方法。
【請求項１１】
表示された前記電子メッセージは、前記ユーザから受け取った信号に応答して削除される、請求項１０に記載の方法。
【請求項１２】
前記第４の動作群を実行する請求項１に記載の方法。
【請求項１３】
交換機とサーバとのうちの前記少なくとも一方によってサービス提供される構内の外部において利用可能であるとともに交換機とサーバとのうちの前記少なくとも一方によってサービス提供される構内エンドポイントに関連づけられた内線を持たない発信者端末から、交換機とサーバとのうちの前記少なくとも一方の外部ポートにおいて前記コンタクトが受け取られ、
前記判断するステップは、前記着信コンタクトに関連づけられた機能アクティベータと機能とのうちの前記識別された少なくとも一方を、前記記憶リスト内の対応する項目にマッピングするステップを含む、請求項１２に記載の方法。
【請求項１４】
対応する前記項目は、前記複数の機能アクティベータ識別子のうちの少なくとも１つである、請求項１２に記載の方法。
【請求項１５】
対応する前記項目は、前記複数の機能識別子のうちの少なくとも１つである、請求項１２に記載の方法。
【請求項１６】
作動させる前記ステップにおいて、交換機とサーバとのうちの前記少なくとも一方は、前記ユーザが前記構内エンドポイントが使用中で受話器が外されている間に前記構内エンドポイントにおける関連づけられた前記機能アクティベータを押下したかのように、前記複数の機能アクティベータ識別子と前記複数の機能識別子のうちの前記関連づけられた少なくとも１つを処理する、請求項１２に記載の方法。
【請求項１７】
前記複数の機能は、（ａ）コンタクトを出す前に呼び出される機能と、（ｂ）コンタクト中に呼び出される機能と、（ｃ）表示対話を必要としない、コンタクトが関連づけられていない機能と、（ｄ）表示対話を必要とする、コンタクトに関連づけられていない機能と、（ｅ）作動局に関連づけられていないコンタクトに対して操作される機能と、（ｆ）警報コンタクトに対して操作される機能とのうちの１つまたは複数の機能群から選択される、請求項１２に記載の方法。
【請求項１８】
前記複数の機能が、アナログ・ブリッジ・アピアランス選択と、短縮ダイヤルと、アクティブ・アピアランス選択と、自動アピアランス選択と、自動コールバックと、自動インターホンと、自動ダイヤルと、ブリッジ・アピアランス選択と、呼出しアピアランス選択と、全呼出し転送と、話中／無応答呼出し転送と、呼出し転送解除と、通話保留と、保留解除と、呼出ピックアップと、会議無応答と、会議と、発呼者番号非通知と、発呼者番号非通知解除と、ダイアル・インターホンと、指定呼出しピックアップと、最終追加参加者離脱と、通話廃棄と、（ユーザが物理ポート上と幹線ポート上とで同じ呼出しに対してアクティブになるのを防ぐ）排他と、（マッピング・エージェントを使用可能にする）交換機とサーバとのうちの少なくとも一方の拡張コールオフ・イネーブルと、（マッピング・エージェントを使用不能にする）交換機とサーバとのうちの少なくとも一方の拡張コールオフ・ディスエーブルと、グループ・ページング、ハンドオーバーと、保留アピアランス選択と、ハント夜間サービスと、最終ダイアル番号と、悪意呼追跡起動と、悪意呼追跡解除と、手動メッセージ待機と、優先呼出しと、全通話送信と、手動信号発信と、通話切断時転送と、音声メール宛て転送と、トランク夜間サービスとのうちの複数の機能を含む、請求項１７に記載の方法。
【請求項１９】
前記起動するステップの後に、機能の起動の成功または失敗を示す電子メッセージをユーザに提供するステップをさらに含む、請求項１２に記載の方法。
【請求項２０】
電話機が電子メッセージの送受信を行うことができるようにするシステムであって、
（ａ）少なくとも１つの構内電話機および少なくとも１つの外部エンドポイントと通信し、第１、第２、第３、および第４の動作群のうちの少なくとも１つの動作群を実行するように動作可能な、交換機とサーバとのうちの少なくとも一方を含み、
前記第１の動作群は、
（ｉ）前記少なくとも１つの構内電話機に関連づけられたユーザに宛てられた電子テキスト・メッセージを受け取るステップと、
（ｉｉ）前記電子メッセージが前記少なくとも１つの構内電話機に宛てて送られるべきであることを判断するステップと、
（ｉｉｉ）前記電子メッセージのテキストを前記少なくとも１つの構内電話機の表示部に表示させるステップとを含み、
前記第２の動作群は、
（ｉ）少なくとも１つの構内電話機から、１つまたは複数のアクティベータの作動に関連づけられた複数の信号を受け取るステップと、
（ｉｉ）前記複数の信号を１つまたは複数の対応する文字および／または数字に関連づけてメッセージのテキストを実現するステップと、
（ｉｉｉ）前記テキストを送信元アドレスと、宛先アドレスと、前記テキストとを含む電子メッセージとして形成するステップと、
（ｉｖ）前記電子メッセージを前記宛先アドレスに転送するステップとを含み、
前記第３の動作群は、
（ｉ）前記少なくとも１つの構内電話機から、選択された電子メッセージのテキストの閲覧要求を受け取るステップと、
（ｉｉ）前記電子メッセージのテキストを前記少なくとも１つの構内電話機の表示部に表示させるステップとを含み、
前記第４の動作群は、
（ｉ）前記少なくとも１つの外部エンドポイントから、機能アクティベータと機能とのうちの少なくとも一方の識別情報を含むパケット交換通信を含む着信コンタクトを受け取るステップと、
（ｉｉ）機能アクティベータと機能とのうちの識別された少なくとも一方が、（ｉ）前記複数の機能アクティベータに関連づけられた複数の機能アクティベータ識別子と、（ｉｉ）前記複数の機能に関連づけられた複数の機能識別子とのうちの少なくとも一方に関連づけられた識別子の記憶リスト内に対応する項目を有する場合を判断するステップと、
（ｉｉｉ）機能アクティベータと機能とのうちの識別された前記少なくとも１つが前記記憶リスト内に対応する項目を有する場合、関連づけられた前記機能アクティベータと前記機能のうちの少なくとも１つを作動させるステップとを含む方法。
【請求項２１】
前記交換機とサーバとのうちの前記少なくとも一方が第１の動作群を実行する、請求項２０に記載のシステム。
【請求項２２】
前記交換機とサーバとのうちの前記少なくとも一方が第２の動作群を実行する、請求項２０に記載のシステム。
【請求項２３】
前記交換機とサーバとのうちの前記少なくとも一方が第３の動作群を実行する、請求項２０に記載のシステム。
【請求項２４】
前記交換機とサーバとのうちの前記少なくとも一方が第４の動作群を実行する、請求項２０に記載のシステム。